(57)【要約】【課題】従来装置よりも安価な構成で、ユーザに対して視認しやすい情報を提供することのできるデジタルサイネージシステムを得る。【解決手段】デジタルサイネージシステムは、１以上の映像コンテンツを表示するディスプレイ（１０）と、互いに異なる位置に配置され、ディスプレイを視認可能な位置に存在するユーザ（１）の位置をユーザまでの距離に応じた値として検出する複数のセンサ（２０）と、複数のセンサによる検出結果に基づいて、ディスプレイに表示させる映像コンテンツの個数、映像コンテンツの表示サイズ、および映像コンテンツの表示位置を制御する制御部（３０）とを備える。【選択図】図１
2020187514.tif 000002
【特許請求の範囲】
【請求項１】
１以上の映像コンテンツを表示するディスプレイと、
互いに異なる位置に配置され、前記ディスプレイを視認可能な位置に存在するユーザの位置を前記ユーザまでの距離に応じた値として検出する複数のセンサと、
前記複数のセンサによる検出結果に基づいて、前記ディスプレイに表示させる前記映像コンテンツの個数、前記映像コンテンツの表示サイズ、および前記映像コンテンツの表示位置を制御する制御部と
を備え、前記ユーザに前記映像コンテンツを提供するデジタルサイネージシステム。
【請求項２】
前記ディスプレイは、ユーザによる操作入力を受け付ける操作入力ボタンを表示可能なタッチパネル式ディスプレイであり、
前記制御部は、
前記複数のセンサによる検出結果に基づいて、前記ディスプレイに表示させる前記操作入力ボタンの個数、前記操作入力ボタンの表示サイズ、および前記操作入力ボタンの表示位置を切り替え制御し、
前記操作入力ボタンを介して受信した前記操作入力に応じて、前記ディスプレイに表示させる前記映像コンテンツを切り替え制御する
請求項１に記載のデジタルサイネージシステム。
【請求項３】
前記制御部は、前記複数のセンサのそれぞれの検出結果の時系列変化から前記ディスプレイの前を移動するユーザの移動方向を特定し、特定した前記移動方向に基づいて前記ディスプレイに表示させる前記映像コンテンツの個数、前記映像コンテンツの表示サイズ、および前記映像コンテンツの表示位置を制御する
請求項１または２に記載のデジタルサイネージシステム。
【請求項４】
前記ディスプレイを視認可能な位置に存在するユーザの荷重を検出する荷重センサをさらに備え、
前記制御部は、前記荷重センサの検出結果の時系列変化から前記ディスプレイの前を移動するユーザの移動方向を特定し、特定した前記移動方向に基づいて前記ディスプレイに表示させる前記映像コンテンツの個数、前記映像コンテンツの表示サイズ、および前記映像コンテンツの表示位置を制御する
請求項１または２に記載のデジタルサイネージシステム。
【請求項５】
ユーザの位置を前記ユーザまでの距離に応じた値として検出する複数のセンサから、それぞれの検出結果を取得するステップと、
前記検出結果に基づいて、１以上の映像コンテンツを表示するディスプレイを視認可能な位置に存在するユーザの位置を特定するステップと、
前記特定するステップによる特定結果に基づいて、前記ディスプレイに表示させる前記映像コンテンツの個数、前記映像コンテンツの表示サイズ、および前記映像コンテンツの表示位置を決定するステップと、
前記決定するステップによる決定結果に基づいて、前記ユーザの位置に応じた所望の映像コンテンツを前記ディスプレイ上に表示させるステップと
を有する映像コンテンツの表示制御方法。
【発明の詳細な説明】
【技術分野】
【０００１】
本発明は、ディスプレイを視認可能なユーザに対して、映像コンテンツを提供するデジタルサイネージシステム、および映像コンテンツの表示制御方法に関する。
【背景技術】
【０００２】
デジタルサイネージシステムは、ディスプレイ上に映像コンテンツを表示させることで、動画再生も含めた所望の画像情報をユーザに対して提供できる。このようなデジタルサイネージシステムでは、所望の画像情報をユーザに対して如何に視認しやすく表示させるかが重要となる。
【０００３】
このような観点で、ユーザの位置または移動に応じてコンテンツを切り替え、または操作して表示する従来装置がある（例えば、特許文献１参照）。特許文献１に係る従来装置では、ステレオカメラで撮像された複数の画像と、物体検知センサによるユーザの検出結果から、ユーザの位置または移動に応じてコンテンツを切り替え、または操作して表示している。
【先行技術文献】
【特許文献】
【０００４】
【特許文献１】特開２０１０−２８６９３０号公報
【発明の概要】
【発明が解決しようとする課題】
【０００５】
しかしながら、従来技術には、以下のような課題がある。
特許文献１に係る従来装置は、ステレオカメラおよび物体検知センサを備えることで、ユーザが視認しやすい情報の提供を実現している。ただし、このような従来装置では、互いに視差を付けた少なくとも２つの画像に基づいた画像処理結果からユーザの位置を検出している。このため、装置が高価となっていた。
【０００６】
本発明は、前記のような課題を解決するためになされたものであり、従来装置よりも安価な構成で、ユーザに対して視認しやすい情報を提供することのできるデジタルサイネージシステム、および映像コンテンツの表示制御方法を得ることを目的とする。
【課題を解決するための手段】
【０００７】
本発明に係るデジタルサイネージシステムは、１以上の映像コンテンツを表示するディスプレイと、互いに異なる位置に配置され、ディスプレイを視認可能な位置に存在するユーザの位置をユーザまでの距離に応じた値として検出する複数のセンサと、複数のセンサによる検出結果に基づいて、ディスプレイに表示させる映像コンテンツの個数、映像コンテンツの表示サイズ、および映像コンテンツの表示位置を制御する制御部とを備え、ユーザに映像コンテンツを提供するものである。
【０００８】
また、本発明に係る映像コンテンツの表示制御方法は、ユーザの位置をユーザまでの距離に応じた値として検出する複数のセンサから、それぞれの検出結果を取得するステップと、検出結果に基づいて、１以上の映像コンテンツを表示するディスプレイを視認可能な位置に存在するユーザの位置を特定するステップと、特定するステップによる特定結果に基づいて、ディスプレイに表示させる映像コンテンツの個数、映像コンテンツの表示サイズ、および映像コンテンツの表示位置を決定するステップと、決定するステップによる決定結果に基づいて、ユーザの位置に応じた所望の映像コンテンツをディスプレイ上に表示させるステップと、を有するものである。
【発明の効果】
【０００９】
本発明によれば、従来装置よりも安価な構成で、ユーザに対して視認しやすい情報を提供することのできるデジタルサイネージシステム、および映像コンテンツの表示制御方法を得ることができる。
【図面の簡単な説明】
【００１０】
【図１】本発明の実施の形態１に係るデジタルサイネージシステムの全体構成を示す説明図である。
【図２】本発明の実施の形態１におけるコントローラで実行される一連の表示処理を示したフローチャートである。
【図３】本発明の実施の形態１におけるコントローラで実行された決定処理に基づく第１の表示例を示した説明図である。
【図４】本発明の実施の形態１におけるコントローラで実行された決定処理に基づく第２の表示例を示した説明図である。
【図５】本発明の実施の形態１におけるコントローラで実行された決定処理に基づく第３の表示例を示した説明図である。
【発明を実施するための形態】
【００１１】
以下、本発明に係るデジタルサイネージシステム、および映像コンテンツの表示制御方法の好適な実施の形態につき図面を用いて説明する。
【００１２】
実施の形態１．
図１は、本発明の実施の形態１に係るデジタルサイネージシステムの全体構成を示す説明図である。図１に示す本実施の形態１に係るデジタルサイネージシステムは、ディスプレイ１０、複数のセンサ２０（１）〜２０（４）、およびコントローラ３０を備えて構成されている。
【００１３】
ディスプレイ１０は、１以上の映像コンテンツをユーザに提供するための表示機能を有する。なお、ディスプレイ１０として、ユーザによる操作入力を受け付ける操作入力ボタンを表示可能なタッチパネル式ディスプレイを採用することもできる。従って、タッチパネル式ディスプレイを採用した場合には、ディスプレイ１０は、表示機能とともに入力機能も有することとなる。
【００１４】
複数のセンサ２０（１）〜２０（４）は、ディスプレイ１０を視認可能な位置に存在するユーザ１の位置を、ユーザ１までの距離に応じた値として検出することができる。複数のセンサ２０（１）〜２０（４）は、互いに異なる位置に配置されている。具体的には、センサ２０（１）〜２０（４）としては、ソナーセンサなどの人感センサを用いることができる。なお、図１では、複数のセンサ２０が４個として構成されている場合を例示しているが、複数のセンサ２０の個数は、２個以上であればよい。
【００１５】
コントローラ３０は、複数のセンサ２０（１）〜２０（４）による検出結果に基づいて、ディスプレイ１０に表示させる映像コンテンツの個数、映像コンテンツの表示サイズ、および映像コンテンツの表示位置を制御する制御部に相当する。図１に示したコントローラ３０は、入力処理部３１、出力処理部３２、および制御処理部３３を備えて構成されている。
【００１６】
図２は、本発明の実施の形態１におけるコントローラ３０で実行される一連の表示処理を示したフローチャートである。図２を用いて、コントローラ３０による表示処理について説明する。まず、ステップＳ２０１において、コントローラ３０内の制御処理部３３は、入力処理部３１を介して複数のセンサ２０（１）〜２０（４）による検出結果を取得するための入力処理を実行する。
【００１７】
次に、ステップＳ２０２において、制御処理部３３は、複数のセンサ２０（１）〜２０（４）による検出結果から、ディスプレイ１０の近傍に存在するユーザ１の有無、および各センサ２０からユーザ１までの距離を特定するための特定処理を実行する。
【００１８】
次に、ステップＳ２０３において、制御処理部３３は、特定処理による特定結果に基づいて、ディスプレイ１０に表示させる映像コンテンツの個数、映像コンテンツの表示サイズ、および映像コンテンツの表示位置を決定するための決定処理を実行する。
【００１９】
次に、ステップＳ２０４において、制御処理部３３は、決定処理による決定結果に基づいて、個数、表示サイズ、および表示位置が特定された所望の映像コンテンツを、出力処理部３２を介してディスプレイ１０に表示させるための表示出力処理を実行する。
【００２０】
以上のような一連処理により、本実施の形態１に係るデジタルサイネージシステムは、カメラにより撮像された画像を処理する必要なしに、従来装置よりも安価な構成で、ユーザに対して視認しやすい情報を提供することができる。
【００２１】
特に、本実施の形態１に係るデジタルサイネージシステムは、複数のセンサ２０による検出結果に基づいて、ディスプレイ１０に表示させる映像コンテンツの個数、映像コンテンツの表示サイズ、および映像コンテンツの表示位置を決定する「決定処理」に特徴を有する。そこで、上述したステップＳ２０３における決定処理に基づく具体的な表示例に関して、図３〜図５を用いて詳述する。
【００２２】
図３は、本発明の実施の形態１におけるコントローラ３０で実行された決定処理に基づく第１の表示例を示した説明図である。図３では、センサ２０（１）によりユーザ１ａが検出され、センサ２０（３）によりユーザ１ｂが検出された場合を例示している。この場合、制御処理部３３は、センサ２０（１）〜センサ２０（４）の検出結果に基づいて、ディスプレイ１０に表示させる映像コンテンツの個数を２個に決定する。
【００２３】
さらに、制御処理部３３は、センサ２０（１）の設置位置に対応したディスプレイ１０上の位置に映像コンテンツ１１ａを表示させ、センサ２０（３）の設置位置に対応したディスプレイ１０上の位置に映像コンテンツ１１ｂを表示させることを決定する。
【００２４】
センサ２０（１）の設置位置に対応した映像コンテンツを映像コンテンツ１１ａとあらかじめ規定しておき、センサ２０（３）の設置位置に対応した映像コンテンツを映像コンテンツ１１ｂとあらかじめ規定しておくことで、制御処理部３３は、検出結果に基づいて、適切な位置に適切な映像コンテンツを表示させることができる。なお、あらかじめ規定しておく映像コンテンツによっては、複数の位置に同一の映像コンテンツ１１を表示させることも可能である。
【００２５】
図３のような表示を行うことで、ユーザ１ａは、自身の位置に近い位置に表示された映像コンテンツ１１ａを容易に視認でき、ユーザ１ｂも、自身の位置に近い位置に表示された映像コンテンツ１１ｂを容易に視認できる。
【００２６】
次に、図４は、本発明の実施の形態１におけるコントローラ３０で実行された決定処理に基づく第２の表示例を示した説明図である。図４では、先の図３と同様に、センサ２０（１）によりユーザ１ａが検出され、センサ２０（３）によりユーザ１ｂが検出された場合を例示している。
【００２７】
ただし、図４では、ユーザ１ａに関しては、センサ２０（１）によって、図３の場合と比較して、より近い位置に検出され、ユーザ１ｂに関しては、センサ２０（３）によって、図３の場合と比較して、より遠い位置に検出された場合を例示している。
【００２８】
この場合、制御処理部３３は、センサ２０（１）〜センサ２０（４）の検出結果に基づいて、ディスプレイ１０に表示させる映像コンテンツの個数を２個に決定する。さらに、制御処理部３３は、映像コンテンツ１１ａに関しては、図３の場合と比較して、より小さい表示サイズとし、映像コンテンツ１１ｂに関しては、図３の場合と比較して、より大きい表示サイズとし、ディスプレイ１０に表示させる表示サイズを決定する。すなわち、制御処理部３３は、距離が近いほど表示サイズを小さくし、距離が遠いほど表示サイズを大きくするように制御する。
【００２９】
図４のような表示を行うことで、ユーザ１ａは、自身の位置に近い位置に表示された映像コンテンツ１１ａを、ディスプレイまでの距離に応じた適切な表示サイズで容易に視認でき、ユーザ１ｂも、自身の位置に近い位置に表示された映像コンテンツ１１ｂを、ディスプレイまでの距離に応じた適切な表示サイズで容易に視認できる。
【００３０】
次に、図５は、本発明の実施の形態１におけるコントローラ３０で実行された決定処理に基づく第３の表示例を示した説明図である。図５では、センサ２０（３）によりユーザ１ｂが検出され、かつ、ユーザ１ｂが、図５の紙面上で右から左へ移動方向Ｄ１に沿って移動している場合を例示している。
【００３１】
この場合、制御処理部３３は、複数のセンサ２０（１）〜２０（４）のそれぞれの検出結果の時系列変化から、ディスプレイ１０の前を移動するユーザ１の移動方向Ｄ１を特定することができる。そして、制御処理部３３は、特定した移動方向Ｄ１に基づいてディスプレイ１０上に表示させる映像コンテンツ１１を、移動方向Ｄ１に沿って移動させるように、映像コンテンツの表示位置を順次決定する。
【００３２】
図５のような表示を行うことで、ユーザ１ｂは、自身の移動に伴って表示位置が移動する映像コンテンツ１１ｂを、容易に視認することができる。
【００３３】
なお、移動方向Ｄ１を特定するためには、図１では図示していないが、複数のセンサ２０（１）〜２０（４）のいずれかでユーザ１を検出可能な領域にわたって、ディスプレイ１０を視認可能な位置に存在するユーザ１の荷重を検出するための荷重センサをさらに設置することも考えられる。
【００３４】
この場合、制御処理部３３は、荷重センサの検出結果の時系列変化からディスプレイ１０の前を移動するユーザ１の移動方向Ｄ１を特定することができる。そして、制御処理部３３は、特定した移動方向Ｄ１に基づいてディスプレイ１０上に表示させる映像コンテンツ１１を、移動方向Ｄ１に沿って移動させるように、映像コンテンツの表示位置を決定する。このように、荷重センサを設置することで、ユーザの移動方向を容易に特定することができる。
【００３５】
なお、上述した実施の形態１では、表示機能を有するディスプレイに対して、所望の映像コンテンツを適切な個数、適切な位置、および適切なサイズで表示させる場合について説明した。しかしながら、上述したように、タッチパネル式ディスプレイを採用した場合には、ディスプレイは、表示機能とともに入力機能も有する。
【００３６】
従って、タッチパネル式ディスプレイを採用する場合には、制御処理部は、映像コンテンツだけではなく、ユーザによる操作入力を受け付けるための所望の操作入力ボタンを、適切な個数、適切な位置、および適切なサイズで表示させることが可能となる。また、制御処理部は、操作入力ボタンを介して受信した操作入力に応じて、ディスプレイ上に表示させる映像コンテンツを切り替え制御することもできる。
【００３７】
以上のように、実施の形態１に係るデジタルサイネージシステムおよび映像コンテンツの表示制御方法は、ユーザの位置をユーザまでの距離に応じた値として検出し、検出結果に基づいてディスプレイ上に表示させる映像コンテンツの個数、表示サイズ、および表示位置を決定する構成を備えている。この結果、従来装置よりも安価な構成で、ユーザに対して視認しやすい情報を提供することのできるデジタルサイネージシステム、および映像コンテンツの表示制御方法を実現できる。
【符号の説明】
【００３８】
１０  ディスプレイ、１１、１１ａ、１１ｂ  映像コンテンツ、２０、２０（１）〜２０（４）  センサ、３０  コントローラ、３１  入力処理部、３２  出力処理部、３３  制御処理部。
【図１】
2020187514.tif 000003
【図２】
2020187514.tif 000004
【図３】
2020187514.tif 000005
【図４】
2020187514.tif 000006
【図５】
2020187514.tif 000007